(57)【要約】      （修正有）【課題】構造が簡単で、安定した給紙が行える給紙システムを提供する。【解決手段】紙トレイ３０中に紙がない時、給紙アセンブリは持ち上げられた状態を保持し、弾性素子は紙トレイ３０を上向きに押して回転させて最高位置となし、ストッパブロック３２は収容溝内に収容され、且つ収容溝の底壁からある距離離れており、これが開始状態となる。起動時には、伝動装置が時計周りに回転し、動力は、伝動軸よりアクチュエートギア４２１及び伝動ギア４２２と、さらに回転軸ギア４２４と、回転軸ギア４２４よりねじりバネを介して回転軸に伝わり、回転軸を回転させ、回転軸の二つのカム部４３１が回転して紙トレイ３０の押圧部３２に至る時、カム部４３１は下向きに押圧部３２を押圧して紙トレイ３０の後端を駆動して下向きに揺動させ、弾性素子は圧縮状態とされる。紙トレイ３０の後端は下向きに揺動し使用者が紙をセットできる。【選択図】図５
0003188527.tif 000002
【実用新案登録請求の範囲】
【請求項１】
給紙システムにおいて、
ベースと、
該ベースに固定される伝動装置と、
前端が該ベースに枢接され、後端が該前端を中心に回転して上向きに該ベースより所定距離を離れる紙トレイと、
該伝動装置により駆動され、該ベースに固定され且つ該紙トレイの上方後端に固定される給紙アセンブリと、
昇降アセンブリであって、該ベースに取り付けられ且つ該紙トレイの下方後端に枢接され、該昇降アセンブリは、該ベースに固定されて一端が該伝動装置に接続され該伝動装置に駆動される伝動軸、該伝動軸に接続されたギアセット、該ギアセットにより駆動されて回転し且つ該紙トレイの下方後端に位置する回転軸及び弾性素子を包含し、該回転軸にカム部が設けられ、該回転軸は回転して該カム部に該紙トレイを押圧させ下向きに揺動させられ、該弾性素子は該紙トレイを弾性的に押し上げて上向きに揺動させられる、上記昇降アセンブリと、
コントロール装置であって、コントロールシステムと該コントロールシステムによりコントロールされて該紙トレイ上に紙が有るか否かを検出する紙検出器を包含し、該コントロール装置は、該伝動装置をコントロールして該昇降アセンブリ及び該給紙アセンブリを駆動する、上記コントロール装置と、
を包含することを特徴とする、給紙システム。
【請求項２】
請求項１記載の給紙システムにおいて、該ギアセットは該ベースの一側に固定され、該ギアセットは該伝動軸と固定接続されたアクチュエートギア、該アクチュエートギアに噛み合う伝動ギア、及び該伝動ギアと同軸に枢接されたスイングアーム、該スイングアームに接続されて伝動ギアに噛み合う回転軸ギア、及び該スイングアームと該回転軸ギアの間に取り付けられたねじりバネを包含することを特徴とする、給紙システム。
【請求項３】
請求項２記載の給紙システムにおいて、該回転軸の一端は、該ギアセットの伝動ギアに固定接続され、他端は該ベース中部に挿通されることを特徴とする、給紙システム。
【請求項４】
請求項１記載の給紙システムにおいて、該紙トレイの後端縁が下向きに延伸された後にさらに前向きに折り曲げられて二つの押圧部が形成され、該回転軸には該カム部の対向面に凹口が設けられ、該回転軸は回転して該カム部が該押圧部を押圧して該紙トレイを下向きに揺動させるか、或いは該押圧部が該凹口部分に置かれて該紙トレイより離脱し、これにより該紙トレイが持ち上げられることを特徴とする、給紙システム。
【請求項５】
請求項１記載の給紙システムにおいて、該紙トレイの下表面後端中部に下向きに延伸された固定柱が形成され、該弾性素子の一端は該ベースに押し当てられ、他端は該固定柱に嵌合されたことを特徴とする、給紙システム。
【請求項６】
請求項１記載の給紙システムにおいて、該ベースの該収容溝の前端両側にそれぞれ枢接孔が開設され、該紙トレイの前端両側にそれぞれ外側に延伸された枢軸が形成され、該枢軸が該枢接孔内に枢接されることで、該紙トレイの前端が該ベースに枢接されることを特徴とする、給紙システム。
【考案の詳細な説明】
【技術分野】
【０００１】
本考案は一種の給紙システムに係り、特に構造が簡単でしかも安定した給紙が行える給紙システムに関する。
【背景技術】
【０００２】
現在ある給紙機構は、紙トレイ及び給紙アセンブリを包含し、給紙アセンブリは紙トレイの上方に取り付けられる。紙トレイ上に紙をセットした後、一般には伝動装置が紙の厚さに基づき固定高さに持ち上げられた後、給紙アセンブリが給紙動作を開始する。
【０００３】
しかし、上述の給紙機構は、ある時間給紙して、紙の総高さが下降しても、紙トレイの持ち上げられた高さは変わらないため、給紙アセンブリの紙に対する取り込みの力が減り、さらに完全に紙に届かずに紙を取り込めなくなる現象が発生することがある。
【考案の概要】
【考案が解決しようとする課題】
【０００４】
本考案の目的は、上述の周知の不足点に対して、一種の給紙システムを提供することにあり、該給紙システムは、安定して給紙が行えしかも構造が簡単であり、大幅に製造のコストと構造の複雑度を減らすことができるものとする。
【課題を解決するための手段】
【０００５】
上述の目的を達成するため、本考案は一種の給紙システムを提供し、それは、ベース、伝動装置、給紙アセンブリ、昇降アセンブリ及びコントロール装置を包含し、該伝動装置は該ベースに固定され該紙トレイは前端が該ベースに枢接され後端は前端を中心に回転して該ベースより上向きに所定距離持ち上がり、該給紙アセンブリは該伝動装置に駆動され、該ベースに固定され該紙トレイの上方後端に位置し、該昇降アセンブリは該ベースに取り付けられ、且つ該紙トレイの下方後端に枢接され、該昇降アセンブリは該ベースに固定され一端が該伝動装置に接続されて該伝動装置に駆動される伝動軸、該該伝動軸に接続されたギアセット、該ギアセットにより駆動され回転し且つ該紙トレイの下方後端に位置する回転軸及び弾性素子を包含し、該回転軸上にはカム部が設けられ、該回転軸が回転して該カム部が該紙トレイを押圧して下向きに揺動させ、該弾性素子は該紙トレイを弾性押圧して上向きに揺動させる。該コントロール装置は該伝動装置をコントロールして該昇降アセンブリ及び給紙アセンブリを駆動する。該コントロール装置はコントロールシステム及び該コントロールシステムによりコントロールされて該紙トレイ上に紙があるか否かを検出する紙検出器を包含し、該コントロール装置は該伝動装置をコントロールして該昇降アセンブリ及び給紙アセンブリを駆動する。
【考案の効果】
【０００６】
総合すると、本考案の給紙システムは、弾性素子により弾性的に紙トレイを上に持ち上げ、該昇降アセンブリの回転軸にはカム部が設けられ、該回転軸が回転することで該カム部に下向きに紙トレイを押圧させ、これにより使用者が紙をセットできるようにし、並びに随時紙トレイの上昇高さを調整して、給紙アセンブリの給紙ロールが安定した前向きの力で紙を押さえ、並びに給紙動作を行えるようにし、これにより、有効に、空回りして給紙できない現象を防止する。本考案の給紙システムは構造が簡単で製造コストが低く、しかも安定した給紙が行える。
【図面の簡単な説明】
【０００７】
【図１】本考案の給紙システムの一種の実施例の立体図である。
【図２】図１の給紙システムの立体分解図である。
【図３】図１の給紙システムの別角度から見た立体分解図である。
【図４】図１の給紙システムの給紙状態の側面図である。
【図５】図１の給紙システムの紙セット状態の側面図である。
【考案を実施するための形態】
【０００８】
以下に本考案の技術内容、構造特徴、達成する目的及び作用効果について、以下に例を挙げ並びに図面を組み合わせて詳細に説明する。
【０００９】
図１から図３を参照されたい。本考案の給紙システム１００は、ベース１０、伝動装置２０、紙トレイ３０、給紙アセンブリ（図示せず）、昇降アセンブリ４０、コントロール装置及びケーシング（図示せず）を包含する。伝動装置２０、紙トレイ３０、給紙アセンブリ及び昇降アセンブリ４０はいずれもベース１０上に取り付けられ、且つ給紙アセンブリ及び昇降アセンブリ４０は伝動装置２０により駆動される。
【００１０】
図１から図４を参照されたい。上述のベース１０中部には収容溝１１が設けられる。ベース１０上の収容溝１１の前端両側にそれぞれ枢接孔１２が開設されている。
【００１１】
上述の伝動装置２０はベース１０の一側に固定される。
【００１２】
上述の紙トレイ３０収容溝１１内に収容され、且つ前端がベース１０に枢接され、後端は、前端を中心として回転し、ベース１０より上に所定距離持ち上がる。具体的には、紙トレイ３０の前端両側にそれぞれ外側に延伸するよう枢軸３１が形成され、枢軸３１が枢接孔１２内に枢接され、これにより、紙トレイ３０の前端がベース１０に枢接される。紙トレイ３０の後端は下向きに延伸された後に、さらに前向きに折り曲げられて延伸され、二つの押圧部３２が形成され、紙トレイ３０の下表面後端中部に下向きに固定柱３３が延伸形成されている。
【００１３】
上述の給紙アセンブリは伝動装置２０により駆動され、ベース１０上に固定され、且つ紙トレイ３０の上方後端に位置し、該給紙アセンブリは、給紙ロール（図示せず）を包含し、該給紙ロールは、一定の前向きの力で紙をつかみ取り、給紙を行う。
【００１４】
上述の昇降アセンブリ４０はベース１０に取り付けられ且つ紙トレイ３０の下方後端に枢接され、昇降アセンブリ４０は、ベース１０に固定され且つ一端が伝動装置２０に固定接続され並びに伝動装置２０により駆動される伝動軸４１、該伝動軸４１に接続されたギアセット４２、ギアセット４２により駆動されて回転し且つ紙トレイ３０の下方に位置する回転軸４３及び弾性素子４４を包含する。回転軸４３にはカム部４３１が設けられ、並びにこれにより、回転して紙トレイ３０を押動し下向きに揺動させられ、弾性素子４４は、紙トレイ３０を上向きに弾性揺動させられる。該ギアセット４２はベース１０の他側に固定され、該回転軸４３の一端は、ギアセット４２に接続され並びに伝動装置２０に接続され、他端はベース１０の中部に通される。
【００１５】
具体的には、ギアセット４２は、伝動軸４１と固定接続されたアクチュエートギア４２１、アクチュエートギア４２１に噛み合う伝動ギア４２２及び伝動ギア４２２と同軸に枢接されたスイングアーム４２３、該スイングアーム４２３に接続され且つ伝動ギア４２２と噛み合う回転軸ギア４２４、及びスイングアーム４２３と回転軸ギア４２４の間に取り付けられたねじりバネ４２５を包含する。該回転軸４３の一端は、ギアセット４２の伝動ギア４２２に固定接続され、他端はベース１０中部に挿通される。カム部４３１は軸体より突出し、回転軸４３上のカム部４３１の対向面に凹口４３２が設けられ、回転軸４３が回転してカム部４３１が押圧部３２を押圧し紙トレイ３０を駆動して下向きに揺動させるか、或いは押圧部３２が凹口４３２に置かれて紙トレイ３０より離脱し、これにより、紙トレイ３０が持ち上げられる。上述の弾性素子４４の一端はベース１０に押し当てられ、他端は固定柱３３に嵌合される。
【００１６】
上述のコントロール装置は、コントロールシステム（図示せず）及びコントロールシステムによりコントロールされて紙トレイ３０上に紙が有るか否かを検出する紙検出器（図示せず）を包含し、コントロール装置は伝動装置２０をコントロールして昇降アセンブリ４０及び給紙アセンブリを駆動する。具体的には、該紙検出器は紙トレイ３０上に取り付けられ、且つ一端が紙トレイ３０の上表面より伸出し、紙検出器には検出部があり、該検出部は検出光線を発射可能で、検出される部材が検出部の検出光線を遮断することにより、検出信号を発生し、並びにコントロールシステムに伝送して処理する。
【００１７】
上述のケーシングは給紙アセンブリ及びベース１０上を被覆する。
【００１８】
図４及び図５を参照されたい。本考案の給紙システム１００の作業原理は以下のとおりである。
【００１９】
紙トレイ３０中に紙がない時、給紙アセンブリは持ち上げられた状態を保持し、弾性素子４４は紙トレイ３０を上向きに押して回転させて最高位置となし、ストッパブロック３２は収容溝１１内に収容され、且つ収容溝１１の底壁からある距離離れており、これが本考案の給紙システム１００の開始状態である。起動時には、伝動装置２０が時計周りに回転し、動力は、伝動軸４１よりアクチュエートギア４２１及び伝動ギア４２２につたわり、さらに回転軸ギア４２４につたわり、さらに回転軸ギア４２４よりねじりバネ４２５を介して回転軸４３につたわり、回転軸４３を回転させ、回転軸４３の二つのカム部４３１が回転して紙トレイ３０の押圧部３２に至る時、カム部４３１は下向きに押圧部３２を押圧してこれにより紙トレイ３０の後端を駆動して下向きに揺動させ、弾性素子４４は圧縮状態とされる。このとき、紙トレイ３０の後端は下向きに揺動し使用者が紙をセットできる（図５に示されるとおり）。
【００２０】
紙を紙トレイ３０に入れた後、紙検出器６１が紙トレイ３０上に取り付けられており、且つ一端が紙トレイ３０の上表面に伸出するため、紙が紙検出器に接触し、紙検出器はこの検出信号をコントロールシステムに伝送し、コントロールシステムは伝動装置２０をコントロールして逆時計周りに回転させ、伝動装置２０は伝動軸４１を駆動し、動力は、アクチュエートギア４２１及び伝動ギア４２２を介して回転軸ギア４２４につたわり、さらに回転軸ギア４２４よりねじりバネ４２５を介して伝動し回転軸４３を駆動し回転させる。回転軸４３の二つのカム部４３１は回転して紙トレイ３０の押圧部３２を離脱し、このとき、弾性素子４４は紙トレイ３０を弾性的に押し上げて紙トレイ３０を揺動させて給紙位置となし（図４に示されるとおり）、このとき、伝動装置２０は給紙アセンブリを駆動して回転させて給紙開始させ、弾性素子４４は弾性的に紙トレイ３０を押し上げて紙トレイ３０の持ち上げ高さを随時調整でき、給紙アセンブリの給紙ロールが安定した前向きの力で紙を押圧し並びに給紙動作を行えるようにし、これにより、有効に空回りして給紙できない現象を防止し、安定した給紙を行える。
【００２１】
給紙完了後に、紙検出器はこの検出信号をコントロールシステムに伝送し、コントロールシステムは伝動装置２０をコントロールして再度時計周りに回転させ、紙トレイ３０を下に押し（図５に示されるとおり）、次の紙をセットできるようにする。
【００２２】
総合すると、本考案の給紙システム１００は、弾性素子４４が紙トレイ３０を弾性的に押し上げることができ、昇降アセンブリ４０の回転軸４３にカム部が設けられ、回転軸４３が回転してカム部４３１が紙トレイ３０を押して下向きに揺動させ、使用者が紙をセットできるようにし、並びに随時紙トレイ３０の上昇の高さを調整でき、給紙アセンブリの給紙ロールが安定した前向きの力で紙を押圧し並びに給紙を行え、これにより有効に空回りして給紙できない現象を防止し、安定した給紙を行える。本考案の給紙システム１００は構造が簡単で製造コストが低い。
【符号の説明】
【００２３】
１００  給紙システム
１０  ベース
１１  収容溝
１２  枢接孔
２０  伝動装置
３０  紙トレイ
３１  枢軸
３２  押圧部
３３  固定柱
４０  昇降アセンブリ
４１  伝動軸
４２  ギアセット
４２１  アクチュエートギア
４２２  伝動ギア
４２３  スイングアーム
４２４  回転軸ギア
４２５  ねじりバネ
４３  回転軸
４３１  カム部
４３２  凹口
４４  弾性素子
【図１】
0003188527.tif 000003
【図２】
0003188527.tif 000004
【図３】
0003188527.tif 000005
【図４】
0003188527.tif 000006
【図５】
0003188527.tif 000007
【手続補正書】
【提出日】平成25年11月20日(2013.11.20)
【手続補正１】
【補正対象書類名】実用新案登録請求の範囲
【補正対象項目名】請求項６
【補正方法】変更
【補正の内容】
【請求項６】
請求項１記載の給紙システムにおいて、該ベースの収容溝の前端両側にそれぞれ枢接孔が開設され、該紙トレイの前端両側にそれぞれ外側に延伸された枢軸が形成され、該枢軸が該枢接孔内に枢接されることで、該紙トレイの前端が該ベースに枢接されることを特徴とする、給紙システム。